(57)【要約】【課題】複数種類の印刷物をグループ単位にまとめて印刷する。【解決手段】制御部４９が、第１ドラム２５及び第２ドラム３６にそれぞれ第１及び第２の画像が加熱穿孔された第１及び第２孔版原紙を巻装する。そして、制御部４９は、第１ドラム２５を利用して第１印刷物を１組当たりの印刷枚数印刷し、第１印刷物の印刷完了後、第２ドラム３６の単独印刷、又は、第１ドラム２５と第２ドラム３６の重ね印刷を利用した第２印刷物を１枚、若しくは、１組当たりの印刷枚数印刷する処理を組単位に実行する。【選択図】図２
2006175851.tif 000002
【特許請求の範囲】
【請求項１】
第１及び第２のドラムを有し、原稿画像に基づいて第１及び第２の孔版原紙を製版し、前記製版された第１及び第２の孔版原紙を前記第１及び第２のドラムに夫々巻装し、前記第１及び第２のドラムに印刷用紙を圧接して前記原稿画像を印刷する孔版印刷装置において、
第１及び第２の印刷物の印刷枚数をそれぞれ第１及び第２の印刷枚数としてグループ毎に入力する操作部と、
前記操作部から入力されたグループ毎の第１及び第２の印刷枚数を記憶するグループ印刷設定記憶部と、
前記第１のドラムにより前記第１の印刷物をグループ印刷設定記憶部に記憶された前記第１の印刷枚数分印刷する処理と、前記第１の印刷物の印刷終了後、前記第２のドラム単独印刷または前記第１のドラムと前記第２のドラムの重ね印刷による前記第２印刷物を前記グループ印刷設定記憶部に記憶された前記第２の印刷枚数分印刷する処理とをグループ単位に実行する制御部と、
を備えることを特徴とする孔版印刷装置。
【請求項２】
前記第２の印刷物の前記第２の印刷枚数は任意の枚数に設定可能であることを特徴とする請求項１に記載の孔版印刷装置。
【請求項３】
第１及び第２のドラムを有し、原稿画像に基づいて第１及び第２の孔版原紙を製版し、前記製版された第１及び第２の孔版原紙を前記第１及び第２ドラムにそれぞれ巻装し、前記第１及び第２のドラムに印刷用紙を圧接して前記原稿画像を印刷する孔版印刷装置の制御方法において、
第１及び第２の印刷物の印刷枚数をそれぞれ第１及び第２の印刷枚数としてグループ毎に記憶するステップと、
前記記憶された第１及び第２の印刷枚数を参照して、前記第１のドラムにより前記第１の印刷物を前記第１の印刷枚数分印刷する処理と、前記第１の印刷物の印刷終了後、前記第２のドラム単独印刷または前記第１のドラムと前記第２のドラムの重ね印刷による前記第２印刷物を前記第２の印刷枚数分印刷する処理とをグループ単位に実行するステップと、
を有することを特徴とする孔版印刷装置の制御方法。
【請求項４】
ｋ個のドラムを有し、原稿画像に基づいてｋ枚の孔版原紙を製版し、前記製版されたｋ枚の孔版原紙を前記ｋ個のドラムに夫々巻装し、前記ｋ個のドラムに印刷用紙を圧接して前記原稿画像を印刷する孔版印刷装置において、
それぞれｋ種類の印刷物を含む
2006175851.tif 000010
通りの印刷パターンのうち、所定の印刷パターンに含まれるｋ種類の印刷物の各印刷枚数をグループ毎に入力する操作部と、
前記操作部から入力されたグループ毎の前記ｋ種類の印刷物の各印刷枚数を記憶するグループ印刷設定記憶部と、
前記ｋ個のドラムのうち前記選択された印刷パターンを生成するために必要なドラムを制御し、前記選択された印刷パターンに含まれるｋ種類の印刷物を前記グループ印刷設定記憶部に記憶された前記各印刷枚数分印刷する処理をグループ単位に実行する制御部と、
を備えることを特徴とする孔版印刷装置。
【請求項５】
ｋ個のドラムを有し、原稿画像に基づいてｋ枚の孔版原紙を製版し、前記製版されたｋ枚の孔版原紙を前記ｋ個のドラムに夫々巻装し、前記ｋ個のドラムに印刷用紙を圧接して前記原稿画像を印刷する孔版印刷装置において、
それぞれｋ種類の印刷物を含む
2006175851.tif 000011
通りの印刷パターンのうち、所定の所定の印刷パターンに対応するｋ種類の印刷物の各印刷枚数をグループ毎に入力するステップと、
前記操作部から入力されたグループ毎の前記ｋ種類の印刷物の各印刷枚数を記憶するステップと、
前記ｋ個のドラムのうち前記選択された印刷パターンを生成するために必要なドラムを制御し、前記選択された印刷パターンに含まれるｋ種類の印刷物を前記印刷設定情報として記憶された前記各印刷枚数分印刷する処理をグループ単位に実行するステップと、
を有することを特徴とする孔版印刷装置の制御方法。
【発明の詳細な説明】
【技術分野】
【０００１】
本発明は、複数のドラムを有する孔版印刷装置及びその制御方法に関し、より詳しくは、複数種類の印刷物をグループ単位にまとめて印刷可能にするための技術に係わる。
【背景技術】
【０００２】
特許文献１には、２つのドラムを有し、各ドラムに異なる色インクを割り当てることにより多色印刷処理を行うことができる孔版印刷装置が開示されている。この孔版印刷装置には、学校の学年や組（クラス）等のグループ単位に印刷物を必要枚数分印刷するための「グループ印刷」機能が設けられている。
【特許文献１】特開２００１−３１５４２２号公報
【発明の開示】
【発明が解決しようとする課題】
【０００３】
しかしながら、上記のグループ印刷機能は、１種類の印刷物をグループ単位に印刷出力する構成となっているために、例えば生徒用と先生用の２種類の印刷物をグループ単位にまとめ印刷することはできなかった。上記の孔版印刷装置を用いて２種類の印刷物をグループ単位にまとめ印刷する場合、ユーザは２種類の印刷物を別々に必要枚数印刷し、印刷された２種類の印刷物を、例えば手作業でグループ単位に仕分する作業を行わなければならず、多くの労力と時間が必要であった。
【０００４】
本発明は、上記課題を解決するためになされたものであり、その目的は、複数種類の印刷物をグループ単位にまとめ印刷するグループ印刷が可能な孔版印刷装置及びその制御方法を提供することにある。
【課題を解決するための手段】
【０００５】
請求項１に記載の発明は、第１及び第２のドラムを有し、原稿画像に基づいて第１及び第２の孔版原紙を製版し、前記製版された第1及び第２の孔版原紙を前記第１及び第２のドラムにそれぞれ巻装し、前記第１及び第２ドラムに印刷用紙を圧接して前記原稿画像を印刷する孔版印刷装置において、第１、第２の印刷物の印刷枚数をそれぞれ第１及び第２の印刷枚数としてグループ毎に入力する操作部と、前記操作部から入力されたグループ毎の第１及び第２の印刷枚数を記憶するグループ印刷設定記憶部と、前記第１のドラムにより前記第１の印刷物をグループ印刷設定記憶部に記憶された前記第１の印刷枚数分印刷する処理と、第１印刷物の印刷終了後、前記第２のドラム単独印刷または前記第１のドラムと第２のドラムの重ね印刷による前記第２の印刷物をグループ印刷設定記憶部に記憶された前記第２の印刷枚数分印刷する処理とをグループ単位に実行する制御部とを備えることを特徴とする。
【０００６】
請求項２に記載の発明は、請求項１に記載の孔版印刷装置において、前記第２の印刷物の前記第２の印刷枚数は任意の枚数に設定可能であることを特徴とする。
【０００７】
請求項３に記載の発明は、第１及び第２のドラムを有し、原稿画像に基づいて第１及び第２の孔版原紙を製版し、前記製版された第１及び第２の孔版原紙を第１及び第２のドラムにそれぞれ巻装し、前記第１及び第２ドラムに印刷用紙を圧接して前記原稿画像を印刷する孔版印刷装置の制御方法において、第１及び第２の印刷物の印刷枚数をそれぞれ第１及び第２の印刷枚数としてグループ毎に記憶するステップと、前記印刷設定情報を参照して前記第１のドラムにより前記第１の印刷物を前記第１の印刷枚数分印刷する処理と、前記第１の印刷物の印刷終了後、前記第２のドラム単独印刷または前記第１のドラムと第２のドラムの重ね印刷による前記第２の印刷物を前記第２の印刷枚数分印刷する処理とをグループ単位に実行するステップとを有することを特徴とする。
【０００８】
請求項４に記載の発明は、ｋ個のドラムを有し、原稿画像に基づいてｋ枚の孔版原紙を製版し、前記製版されたｋ枚の孔版原紙を前記ｋ個のドラムに夫々巻装し、前記ｋ個のドラムに印刷用紙を圧接して前記原稿画像を印刷する孔版印刷装置において、それぞれｋ種類の印刷物を含む
2006175851.tif 000003
通りの印刷パターンのうち、所定の印刷パターンに含まれるｋ種類の印刷物の各印刷枚数をグループ毎に入力する操作部と、前記操作部から入力されたグループ毎の前記ｋ種類の印刷物の各印刷枚数を記憶するグループ印刷設定記憶部と、前記ｋ個のドラムのうち前記選択された印刷パターンを生成するために必要なドラムを制御し、前記選択された印刷パターンに含まれるｋ種類の印刷物を前記グループ印刷設定記憶部に記憶された前記各印刷枚数分印刷する処理をグループ単位に実行する制御部とを備えることを特徴とする。
【０００９】
前記操作部は、例えば、それぞれｋ種類の印刷物を含む
2006175851.tif 000004
通りの印刷パターンをユーザに提示する提示部（たとえば、操作パネル部５２）と、提示された印刷パターンの中から、ユーザの選択指示に基づいて、ある印刷パターンを選択する選択部（たとえば、操作パネル部５２）と、選択された印刷パターンに含まれるｋ種類の印刷物の各印刷枚数をグループ毎に入力する入力部（たとえば、操作パネル部５２）と、を備えることを特徴とする。
【００１０】
請求項５に記載の発明は、ｋ個のドラムを有し、原稿画像に基づいてｋ枚の孔版原紙を製版し、前記製版されたｋ枚の孔版原紙を前記ｋ個のドラムに夫々巻装し、前記ｋ個のドラムに印刷用紙を圧接して前記原稿画像を印刷する孔版印刷装置において、それぞれｋ種類の印刷物を含む
2006175851.tif 000005
通りの印刷パターンのうち、所定の印刷パターンに対応するｋ種類の印刷物の各印刷枚数をグループ毎に入力するステップと、前記操作部から入力されたグループ毎の印刷設定情報を記憶するステップと、前記ｋ個のドラムのうち前記選択された印刷パターンを生成するために必要なドラムを制御し、前記選択された印刷パターンに含まれるｋ種類の印刷物を前記印刷設定情報として記憶された前記各印刷枚数分印刷する処理をグループ単位に実行するステップとを有することを特徴とする。
【００１１】
前記入力ステップは、例えば、それぞれｋ種類の印刷物を含む
2006175851.tif 000006
通りの印刷パターンをユーザに提示し、提示された印刷パターンの中から、ユーザの選択指示に基づいて、ある印刷パターンを選択するステップ（たとえば、操作パネル部５２）と、選択された印刷パターンに含まれるｋ種類の印刷物の各印刷枚数をグループ毎に入力するステップと、を備えることを特徴とする。
【発明の効果】
【００１２】
本発明に係る孔版印刷装置及びその制御方法によれば、複数種類の印刷物をグループ単位にまとめ印刷するグループ印刷を実現することができる。
【発明を実施するための最良の形態】
【００１３】
本発明は、ｋ個のドラムを有する多色孔版印刷装置に対して適用されるものであり、それぞれｋ種類の印刷物を含む
【数１】
2006175851.tif 000007
【００１４】
通りの印刷パターンを制御可能とし、これら制御可能な印刷パターンの中から所定の印刷パターンに基づき、該印刷パターンに含まれるｋ種類の印刷物をグループごとにまとめ印刷するものである。ここで、ｋは２以上の自然数を想定可能であるが、以下では簡単のため、本発明を２つのドラムを有する孔版印刷装置に適用した場合の実施形態について、図面を参照して詳細に説明する。
【００１５】
［孔版印刷装置の構成］
本発明の一実施形態である孔版印刷装置１は、原稿読取部１９と、製版部２と、給紙部３と、第１印刷部４と、中間搬送部５と、第２印刷部６と、排紙部７と、第１排版部８及び第２排版部９等から構成されている。
【００１６】
原稿読取部１９は、装置本体１０の上部に設けられ、印刷に供される原稿を画像データとして読み取るようになっている。この画像データは、第１ドラム２５の色インク（第１色インク）用の製版データと第２ドラム３６の色インク（第２色インク）用の製版データとして生成されるようになっている。また、製版データは所定の指令（拡大、縮小等）に基づいて加工可能である。
【００１７】
製版部２は、装置本体１０に水平移動自在に設けられた製版ユニット１１を有し、この製版ユニット１１は製版ユニット移動手段（図示せず）によって第１孔版原紙１２を第１ドラム２５に供給する第１原紙供給位置（図１の仮想線位置）と、第２孔版原紙１２を第２ドラム３６に供給する第２原紙供給位置（図１の実線位置）との間で移動されるようになっている。製版ユニット１１は、ロールされた長尺状の孔版原紙１２を収容する原紙収容部１３と、原紙収容部１３に収容された孔版原紙１２を搬送下流側にガイドする複数の搬送ロール１４と、これら搬送ロール１４の搬送下流側で、搬送面の上部に配置されたサーマルヘッド１５と、このサーマルヘッド１５の対向位置に配置され、ライトパルスモータ（図示せず）の駆動力により回転するプラテンロール１６と、このプラテンロール１６及びサーマルヘッド１５に対して孔版原紙１２の搬送下流側に配置され、ライトパルスモータ（図示せず）の駆動力により回転する一対の原紙送りロール１７，１７と、この一対の原紙送りロール１７，１７とプラテンロール１６及びサーマルヘッド１５との間に配置された原紙カッタ１８を有する。
【００１８】
給紙部３は、印刷媒体である印刷用紙２０が積層される給紙台２１と、この給紙台２１から最上位置の印刷用紙２０のみを分離し印刷用紙２０の用紙搬送下流側に搬送する１次給紙ロール２２，２３と、この一次給紙ロール２２，２３によって搬送された印刷用紙２０を後述する第１ドラム２５の回転に同期して第１ドラム２５と第１プレスロール２７間に給紙する一対の２次給紙ロール２４，２４とを有する。１次給紙ロール２２，２３や一対の２次給紙ロール２４，２４には各給紙クラッチ（図示せず）を介してメインモータ（図示せず）の回転が選択的に伝達されるように構成されている。
【００１９】
また、給紙部３には１次給紙ロール２２，２３と２次給紙ロール２４，２４間の用紙搬送経路を検出ポイントとするペーパーセンサＳ１と、２次給紙ロール２４，２４と第１ドラム２５間の用紙搬送経路を検出ポイントとする２次給紙センサＳ２が設けられている。ペーパーセンサＳ１は、１次給紙ロール２２，２３によって印刷用紙２０が搬送されて来るか否かを検出するようになっている。２次給紙センサＳ２は、２次給紙ロール２４，２４によって印刷用紙２０が搬送されて来るか否かを検出するようになっている。
【００２０】
第１印刷部４は、多孔構造によるインク通過性の部材で円筒状の外周壁２５ａが構成され、メインモータ（図示せず）の駆動力によって図１の矢印Ａ方向に回転される印刷ドラムである第１ドラム２５と、この第１ドラム２５の外周壁２５ａに設けられ、第１孔版原紙１２の先端をクランプする第１クランプ部２６と、第１ドラム２５内に配置され、外周壁２５ａの内周面側にスキージロール（図示せず）より第１色インクを供給する第１インク供給手段（図示せず）と、第１ドラム２５の外周壁２５ａの外側で、且つ、スキージロール（図示せず）に対向する位置に配置されたプレス部材である第１プレスロール２７とを備えている。
【００２１】
この第１プレスロール２７の構成は、第１プレスロール移動機構（図示せず）によって、第１ドラム２５の外周壁２５ａを押圧する押圧位置と第１ドラム２５の外周壁２５ａより十分に退避する退避位置との間で移動自在に設けられている。第１プレスロール２７は、非印刷時には退避位置に位置され、印刷時には第１クランプ部２６に干渉する範囲では第１ドラム２５の外周壁２５ａより若干だけ離間した微小離間位置に逃げ、それ以外の範囲では押圧位置に変位するようになっている。
【００２２】
また、第１印刷部４は、第１ドラム２５の用紙搬送下流側の近傍に配置された分離爪２８と分離ノズル２９とを有する。分離爪２８は、第１ドラム２５の外周面とこれに貼り付いた状態で搬送されて来る印刷用紙２０の先端との間に挿入されるようになっている。これによって、第１ドラム２５の外周面に貼り付いて回転しようとする印刷用紙２０を強制的に第１ドラム２５の外周面から引き剥がすようになっている。分離爪２８の先端部にはエアーノズル（図示せず）が設けられ、このエアーノズルからは第１分離ポンプ（図示せず）により圧縮された先端分離エアーが印刷用紙２０の剥離タイミングで吐出されるようになっている。これにより、第１ドラム２５の外周面に貼り付いている印刷用紙２０の先端部だけを圧縮された先端分離エアーで引き剥がすようになっている。分離ファン３０により発生された分離エアーは、分離ノズル２９より、第１ドラム２５の外周面とこれに貼り付いた状態で搬送されて来る印刷用紙２０との間に吹き付けられる。分離ファン３０は第１ドラム２５の回転中は常に駆動され、この分離エアーによって、分離爪２８に設けられたエアーノズルから吐出される先端分離エアーにより先端部だけを引き剥がされた印刷用紙２０の全体を強制的に第１ドラム２５の外周面から引き剥がすようになっている。
【００２３】
そして、第１印刷部４は、製版部２から搬送される第１孔版原紙１２の先端を第１クランプ部２６でクランプし、このクランプした状態で第１ドラム２５を回転して孔版原紙１２が第１ドラム２５の外周壁２５ａに巻装され、第１ドラム２５の回転に同期して搬送されて来る印刷用紙２０を第１プレスロール２７にて第１ドラム２５の第１孔版原紙１２に押圧することによって印刷用紙２０に第１孔版原紙１２の穿孔部分からインクを転写して第１色インクの画像を印刷するようになっている。
【００２４】
中間搬送部５は、第１ドラム２５の用紙搬送下流側位置と後述する第２ドラム３６の用紙搬送上流側位置の間に配置された一対のベルト掛けプーリ３１，３１と、この一対のベルト掛けプーリ３１，３１に掛けられた無限端ベルト３２と、この無限端ベルト３２の用紙搬送面に印刷用紙２０を吸引する吸引ファン３３と、無限端ベルト３２を移動させるベルト駆動手段（図示せず）とを備えている。また、中間搬送部５は第１ドラム２５から剥離された印刷用紙２０を受け取り、受け取った印刷用紙２０を第２ドラムの回転に同期して第２ドラム３６と第２プレスロール３８間に給紙するようになっている。
【００２５】
また、中間搬送部５には中間センサＳ３が設けられている。中間センサＳ３は、第１印刷部４から印刷用紙２０が分離されて来るか否かを検出するようになっている。
【００２６】
第２印刷部６は、第１印刷部４と同一構成であり、円筒状の外周壁３６ａを有し、メインモータ（図示せず）の駆動力によって図１のＢ矢印方向に回転する印刷ドラムである第２ドラム３６と、この第２ドラム３６の外周壁３６ａに設けられ、第２孔版原紙１２の先端をクランプする第２クランプ部３７と、第２ドラム３６内に配置され、外周壁３６ａの内周面側にスキージロール（図示せず）より第２色インクを供給する第２インク供給手段（図示せず）と、第２ドラム３６の外周壁３６ａの外側で、且つ、スキージロール（図示せず）に対向する位置に配置されたプレス部材である第２プレスロール３８とを備えている。この第２プレスロール３８の構成は、第１プレスロール２７と同様であり、説明を省略する。
【００２７】
また、第２印刷部６は、第２ドラム３６の用紙搬送下流側の近傍に配置された分離爪３９と分離ノズル４０とを有する。分離爪３９は、第２ドラム３６の外周面とこれに貼り付いた状態で搬送されて来る印刷用紙２０の先端との間に挿入されるようになっている。これにより、第２ドラム３６の外周面に貼り付いて回転しようとする印刷用紙２０を強制的に第２ドラム３６の外周面から引き剥がすようになっている。分離爪３９の先端部にはエアーノズル（図示せず）が設けられ、このエアーノズルからは第２分離ポンプ（図示せず）により圧縮された先端分離エアーが印刷用紙２０の剥離タイミングで吐出されるようになっている。これにより、第２ドラム３６の外周面に貼り付いている印刷用紙２０の先端だけを圧縮された先端分離エアーで引き剥がすようになっている。分離ファン４１により発生された分離エアーは、分離ノズル４０より、第２ドラム３６の外周面とこれに貼り付いた状態で搬送されて来る印刷用紙２０との間に吹き付けられる。分離ファン４１は第２ドラム３６の回転中は常に駆動され、この分離エアーによって、分離爪３９に設けられたエアーノズルから吐出される先端分離エアーにより先端部だけ引き剥がされた印刷用紙２０の全体を強制的に第２ドラム３６の外周面から引き剥がすようになっている。
【００２８】
そして、第２印刷部６は、製版部２から搬送される第２孔版原紙１２の先端を第２クランプ部３７でクランプし、このクランプした状態で第２ドラム３６が回転されて第２孔版原紙１２が第２ドラム３６の外周壁３６ａに巻装され、第２ドラム３６の回転に同期して搬送されて来る印刷用紙２０を第２プレスロール３８にて第２ドラム３６に巻装された第２孔版原紙１２に押圧することによって印刷用紙２０に第２孔版原紙１２の穿孔部分からインクを転写して第２色インクの画像を印刷するようになっている。
【００２９】
排紙部７は、第２ドラム３６より剥離された印刷用紙２０を搬送するベルト搬送機構４２と、ベルト搬送機構４２より排出された印刷用紙２０を載置する排紙台４３とを備えている。ベルト搬送機構４２は、一対のプーリ４２ａ，４２ａと、この一対のプーリ４２ａ，４２ａ間に掛けられた無限端ベルト４２ｂと、この無限端ベルト４２ｂの用紙搬送面に印刷用紙２０を吸引する吸引ファン４２ｃと、無限端ベルト４２ｂを移動させるベルト駆動手段（図示せず）とを備えており、第２ドラム３６より分離された印刷用紙２０を排紙台４３まで搬送し、排紙台４３上に載置するようになっている。また、ベルト搬送機構４２には排紙センサＳ４が設けられている。排紙センサＳ４は、第２印刷部６から印刷用紙２０が搬送されて来るか否かを検出するようになっている。
【００３０】
第１排版部８は、第１ドラム２５に巻装されている第１孔版原紙１２の先端がクランプ解除され、このクランプ解除された第１孔版原紙１２を第１ドラム２５より引き剥がしながら搬送する一対の排版ロール４４，４４と、この一対の排版ロール４４，４４によって搬送されて来る第１孔版原紙１２を収納する排版ボックス４５とを有する。
【００３１】
第２排版部９は、第２ドラム３６に巻装されている第２孔版原紙１２の先端がクランプ解除され、このクランプ解除された第２孔版原紙１２を第２ドラム３６より引き剥がしながら搬送する一対の排版ロール４６，４６と、この一対の排版ロール４６，４６によって搬送されて来る第２孔版原紙１２を収納する排版ボックス４７とを有する。
【００３２】
次に、上記孔版印刷装置１の２色印刷時の製版、印刷制御動作を説明する。
【００３３】
２色製版モードが選択されると、第１ドラム２５側の製版・排版処理が実行される。まず、制御部（図示せず）が第１ドラム２５に使用済みの第１孔版原紙１２が巻装されているか否かをチェックし、巻装されている場合には第１孔版原紙１２を第１ドラム２５より取り除き排版ボックス４５に排版する。
【００３４】
排版処理が終了すると、原稿読取部１９により読み取った第１色インクの製版データに基づき新しい第１孔版原紙１２にサーマルヘッド１５にて感熱穿孔（製版）する。そして、製版された第１孔版原紙１２の先端を第１クランプ部２６でクランプし、このクランプした状態で第１ドラム２５が回転されて第１孔版原紙１２が第１ドラム２５の外周壁２５ａに巻装される着版処理が行われる。これで第１ドラム２５側の製版動作が終了する。次に、第１ドラム２５の製版動作が終了すると、第２ドラム３６の製版・排版処理が実行される。まず、製版ユニット１１は製版ユニット移動手段（図示せず）によって、第１ドラム２５側の第１原紙供給位置から、第２ドラム３６側の第２原紙供給位置へと移動される。次に、制御部（図示せず）が第２ドラム３６に使用済みの第２孔版原紙１２が巻装されているか否かをチェックし、巻装されている場合には第２孔版原紙１２を第２ドラム３６より取り除き排版ボックス４７に排版する。読み取った第２色インク色の製版データに基づき第２孔版原紙１２にサーマルヘッド１５にて感熱穿孔する。そして、第１ドラム２５と同様に、製版された第２孔版原紙１２が第２ドラム３６に巻装される着版処理が行われ、これで第２ドラム３６側の製版動作が終了する。
【００３５】
次に、２色印刷モードが選択されると、メインモータ（図示せず）が回転して第１及び第２ドラム２５，３６が回転され、この回転に同期して給紙部３より印刷用紙２０が第１ドラム２５に給紙される。この給紙された印刷用紙２０は第１プレスロール２７で第１ドラム２５の第１孔版原紙１２に押圧されることによって印刷用紙２０に第１色インクの画像が印刷される。第１色インクの画像が印刷された印刷用紙２０は第１ドラム２５の外周面より分離爪２８、先端分離エアー及び分離エアーによって剥離されて中間搬送部５に導かれる。中間搬送部５では、印刷用紙２０を無限端ベルト３２の移動で搬送し、印刷用紙２０を第２ドラム３６に給紙する。この給紙された印刷用紙２０は第２プレスロール３８で第２ドラム３６の第２孔版原紙１２に押圧されることによって印刷用紙２０に第２色インクの画像が印刷される。第２色インクの画像が印刷された印刷用紙２０は第２ドラム３６の外周面より分離爪３９、先端分離エアー及び分離エアーによって剥離されてベルト搬送機構４２に導かれる。ベルト搬送機構４２では、印刷用紙２０を無限端ベルト４２ｂの移動で搬送し、ベルト搬送機構４２の最下流より排紙台４３に排出される。排紙台４３に排紙された印刷用紙２０はここに積層状態で載置される。
【００３６】
一方、ペーパーセンサＳ１、２次給紙センサＳ２、中間センサＳ３及び排紙センサＳ４のいずれかが所定のタイミングで印刷用紙２０の通過を検出しなかった場合にはジャミングが発生したと判断する。印刷用紙２０のジャミングが発生したと判断した場合には、第１ドラム２５と第２ドラム３６の回転と、給紙部３及び中間搬送部５及び排紙部７の駆動系は駆動状態を所定時間だけ続行させる一方で、各第１及び第２プレス用ソレノイド（図示せず）をオフして第１及び第２プレスロール２７，３８を退避位置とする。ジャミング発生から所定時間以内の間に、何らかの理由により印刷用紙２０のジャミングが解除されると、ジャミング解除された印刷用紙２０は印刷処理されないで排紙される。
【００３７】
ここで、印刷用紙２０が第２ドラム３６と第２プレスロール３８との間を通過するに際して、第２プレスロール３８が第２ドラム３６の外周壁３６ａより十分に退避した退避位置に位置するため、印刷用紙２０は第２ドラム３６に接触することなく通過する。これにより、印刷用紙２０のジャミングが発生した場合に、印刷用紙２０が第２ドラム３６と第２プレスロール３８間を通過するに際して第２ドラム３６の外周面側に接触することなく通過して第１及び第２孔版原紙１２，１２のインク汚染を確実に防止することができる。
【００３８】
次に、第１ドラム２５のみで印刷を行い、第２ドラム３６では印刷を行わない場合の特徴を説明する。
【００３９】
この場合には印刷用紙２０が第２ドラム３６近傍を通過する際、第２プレスロール３８は退避位置に位置している。従って、印刷用紙２０は、第２ドラム３６の外周面側に接触することなく通過し、排紙部７に搬送される。また、第１ドラム２５のみで印刷を行い、第２ドラム３６では印刷を行わない場合にあっては、分離ファン４１が分離エアーを吐出しないように制御することが好ましい。
【００４０】
次に、第２ドラム３６のみで印刷を行い、第１ドラム２５では印刷を行わない場合の特徴を説明する。この場合には給紙部３から１次給紙ロール２２，２３および２次給紙ロール２４，２４によって搬送された印刷用紙２０が第１ドラム２５近傍を通過する際、第１プレスロール２７は退避位置に位置している。従って、印刷用紙２０は、第１ドラム２５の外周面に接触することなく通過し、中間搬送部５に搬送される。また、第２ドラム３６のみで印刷を行い、第１ドラム２５では印刷を行わない場合にあっては、分離ファン３０が分離エアーを吐出しないように制御することが好ましい。
【００４１】
［制御系の構成］
上記孔版印刷装置１の制御系は、図２に示すように、操作パネル部５２を介してユーザが各種操作情報を入力するのに応じて、制御部４９が、ＲＯＭ５０に記憶された制御プログラム（図示せず）に従って原稿読取部１９，製版部２，及び第１印刷部４と第２印刷部６を制御することにより、原稿読取部１９で読み取った原稿の画像データを孔版印刷処理するように構成されている。また、この制御系は、制御部４９が各種制御を行う際のワーキングエリアとして機能するＲＡＭ５１を備え、ＲＡＭ５１は、後述するグループ印刷設定処理により生成される組印刷設定情報，印刷パターン設定情報，及び第２印刷物印刷枚数設定情報を記憶するグループ印刷設定記憶部５３を有する。
【００４２】
なお、操作パネル部５２は、製版動作を開始するための製版キー（図示せず）、印刷動作を開始するための印刷キー（図示せず）、印刷動作を停止するためのストップキー（図示せず）、印刷枚数を入力するためのテンキー（図示せず）、７セグメントＬＥＤ等により構成され印刷枚数を表示するための印刷枚数表示手段（図示せず）、各種機能設定や表示を行うための液晶タッチパネル（図示せず）等を備える。
【００４３】
このような構成を有する孔版印刷装置１では、制御部４９が、第１および第２の画像データが穿孔された第１及び第２孔版原紙１２，１２をそれぞれ巻装した第１及び第２ドラム２５，３６を用いて、操作パネル部５２から指定された組み合わせと印刷枚数に基づきグループ印刷を実行するように孔版印刷装置１を制御する。以下、図３に示すフローチャートを参照して、グループ印刷処理を実行する際の制御部４９の動作手順について詳しく説明する。
【００４４】
［グループ印刷処理］
図３に示すフローチャートは、孔版印刷装置１の電源が投入されて、孔版印刷装置１の初期化が完了するのに応じて開始される。
【００４５】
ステップＳ０１の処理において、ユーザが、操作パネル部５２の液晶タッチパネル（図示せず）に表示される画面でタブ「機能一覧」を開いて「グループ印刷」を選択（図４）すると、制御部４９は、「グループ印刷」が選択されるのに応じて、グループ印刷処理の設定画面（図５）を操作パネル部５２の液晶タッチパネル（図示せず）に表示する。そして、ユーザが設定画面に従ってグループ印刷処理の設定を行うのに応じて、制御部４９は、設定された情報をグループ印刷設定記憶部５３に記憶し、処理をステップＳ０２に進める。
【００４６】
なお、ステップＳ０１の処理において、ユーザは、始めに、図５に示すグループ印刷設定画面に従って、各グループの組数と一組当たりの印刷枚数を入力し、入力が完了するのに応じて、確定ボタンを操作して設定する。そして、制御部４９は、設定された情報を組印刷設定情報としてグループ印刷設定記憶部５３に記憶する。なお、図６は設定された組印刷設定情報を表形式で表したもので、入力されなかったグループの組数及び印刷枚数の値は０に設定される。そして次に、ユーザは、パターン設定ボタン５４を操作して図７に示すパターン設定画面を開き、グループごとに印刷パターン及び第２印刷物印刷枚数を選択し、確定ボタンを操作して設定する。制御部４９は、設定された情報を印刷パターン設定情報及び第２印刷物印刷枚数設定情報としてグループ印刷設定記憶部５３に記憶する。
【００４７】
本実施形態では、ユーザは印刷パターンとして第１色インクの画像が穿孔された第１孔版原紙１２を巻装した第１ドラム２５と第２色インクの画像が穿孔された第２孔版原紙１２を巻装した第２ドラム３６を用いて、第１ドラム２５で印刷した第１の印刷物と第１ドラム２５と第２ドラム３６による重ね印刷した第２の印刷物とをグループ毎に印刷する第１のパターンと、第１ドラム２５で印刷した第１の印刷物と第２ドラム３６で印刷した第２の印刷物とをグループ毎に印刷する第２のパターンのいずれかを選択することができる。
【００４８】
なお、上記した印刷パターンの種類は、ドラムの数が２個（ｋ＝２）であることから、（１）式に従って、
【数２】
2006175851.tif 000008
【００４９】
のように決定される。
【００５０】
また、ユーザは第２の印刷物の印刷枚数として１枚、または、１組当たりの印刷枚数（Ｘ）と同数のいずれかを選択することができる。
【００５１】
ステップＳ０２の処理において、制御部４９は図１２に示すように第１，第２の原稿を原稿読取部１９で読み取った画像データまたは多色原稿を原稿読取部１９で読み取り指示された色インクに従って分版した画像データに基づいて第１及び第２孔版原紙１２，１２を加熱穿孔（製版）し、第１ドラム２５および第２ドラム３６に巻装（製版動作）する。製版動作の詳細については後述する。
【００５２】
ステップＳ０３の処理において、制御部４９はグループ印刷設定記憶部５３に記憶されているグループ印刷設定情報、印刷パターン設定情報、第２印刷物印刷枚数設定情報に従って孔版印刷装置１を制御（印刷動作）して印刷する。印刷動作の詳細については後述する。
【００５３】
そして、印刷動作が終了するのに応じて、一連のグループ印刷処理は終了する。
【００５４】
〔製版動作〕
次に、図８に示すフローチャートを参照して、製版動作を実行する際の制御部４９の動作手順について詳細に説明する。
【００５５】
図８に示すフローチャートは、図３に示すステップＳ０１の処理が完了するのに応じて開始される。
【００５６】
ステップＳ０５の処理において、制御部４９は、１枚の多色原稿画像に基づいて第１ドラム２５の原稿画像と第２ドラム３６の原稿画像の２色に分版する自動分版モードが選択されているか否かを判別する。判別の結果、自動分版モードが選択されていない場合、制御部４９は処理をステップＳ１５に進め、自動分版モードが選択されている場合、制御部４９は処理をステップＳ０６に進める。
【００５７】
ステップＳ０６の処理において、制御部４９は、多色原稿を原稿読取部１９にセットする指示を操作パネル部５２の液晶タッチパネル（図示しない）に表示し、ユーザは指示に従って多色原稿を原稿読取部１９にセットし、第１ドラム２５で印刷する画像データと第２ドラム３６で印刷する画像データに分版する多色原稿の色インクを操作パネル部５２の液晶タッチパネル（図示しない）で指定する。そして、制御部４９は、ユーザが原稿読取部１９に原稿をセットし、操作パネル部５２の製版キー（図示しない）を操作するのに応じて、処理をステップＳ０７に進める。
【００５８】
ステップＳ０７の処理において、制御部４９は、原稿読取部１９を制御することにより原稿読取部１９にセットされた多色原稿を読み取り、読み取りが完了するのに応じて、処理をステップＳ０８に進める。
【００５９】
ステップＳ０８の処理において、制御部４９は読み取った多色原稿の画像データをユーザの指定した色インクに従って、第１ドラム２５で印刷する画像データと第２ドラム３６で印刷する画像データに分版し、処理をステップＳ０９に進める。
【００６０】
ステップＳ０９の処理において、制御部４９は分版した第１ドラム２５用画像データにより第１孔版原紙１２を加熱穿孔し、第１ドラム２５に巻装し、処理をステップＳ１０に進める。
【００６１】
ステップＳ１０の処理において、制御部４９は分版した第２ドラム３６用画像データにより第２孔版原紙１２を加熱穿孔し、第２ドラム３６に巻装し、処理を終了する。
【００６２】
一方、ステップＳ０５の処理において自動分版モードが選択されていない場合、ステップＳ１５の処理において、制御部４９は第１ドラム２５で印刷する原稿Ａ、第２ドラム３６で印刷する原稿Ｂを重ねて原稿読取部１９にセットする指示を操作パネル部５２の液晶タッチパネル（図示せず）に表示し、ユーザは指示に従って原稿Ａ，Ｂを重ねて原稿読取部１９にセットし、操作パネル部５２の製版キー（図示せず）により製版開始を指示する。
【００６３】
ステップＳ１６の処理において、制御部４９は、原稿読取部１９を制御することにより原稿読取部１９にセットされた原稿Ａの画像を読み取り、読み取りが完了するのに応じて、処理をステップＳ１７に進める。
【００６４】
ステップＳ１７の処理において、制御部４９は、読み取った画像データに基づき第１孔版原紙１２を加熱穿孔し、加熱穿孔された第１孔版原紙１２を第１ドラム２５に巻装し、巻装が完了するのに応じて処理をステップＳ１８に進める。
【００６５】
ステップＳ１８の処理において、制御部４９は、原稿読取部１９を制御することにより原稿読取部１９にセットされた原稿Ｂの画像を読み取り、読み取りが完了するのに応じて、処理をステップＳ１９に進める。
【００６６】
ステップＳ１９の処理において、制御部４９は、読み取った画像データに基づき第２孔版原紙１２を加熱穿孔し、加熱穿孔された第２孔版原紙１２を第２ドラム３６に巻装する。これにより、一連の製版処理は終了する。
【００６７】
〔印刷動作〕
次に、図９に示すフローチャートを参照して、印刷動作を実行する際の制御部４９の動作手順について説明する。
【００６８】
図９に示すフローチャートは、図３に示すステップＳ０２の処理が完了するのに応じて開始される。
【００６９】
ステップＳ２１の処理において、制御部４９は、グループ印刷設定記憶部５３に記憶されている組印刷設定情報（図６参照）のグループ番号を計数するためのプログラムカウンタの値ｎを１に設定し、処理をステップＳ２２に進める。
【００７０】
ステップＳ２２の処理において、制御部４９は、プログラムカウンタの値ｎがグループ番号Ｎの最大値Ｎｍａｘ（例えば図６に示す例ではＮｍａｘ＝５０）以下であるか否かを判別する。そして、判別の結果、プログラムカウンタの値ｎがＮｍａｘ以下でない場合、制御部４９は、全てのグループの印刷処理が完了したと判断し、印刷動作を終了する。一方、プログラムカウンタの値ｎがＮｍａｘ以下である場合には、制御部４９は印刷処理をステップＳ２３の処理に進める。
【００７１】
ステップＳ２３の処理において、制御部４９は、グループ印刷設定記憶部５３に記憶されている組印刷設定情報を参照して、ｎ番目のグループ（グループ［ｎ］）の組数Ｍが０であるか否かを判別する。そして、判別の結果、ｎ番目のグループの組数Ｍが０である場合、制御部４９は処理をステップＳ２２に戻す。一方、ｎ番目のグループの組数Ｍが０でない場合には、制御部４９は処理をステップＳ２４に進める。
【００７２】
ステップＳ２４の処理において、制御部４９は、ｎ番目のグループの第１印刷物と第２印刷物を組毎にまとめ印刷し（グループ印刷動作）、印刷完了後、処理をステップＳ２５に進める。なお、このグループ印刷動作を実行する際の制御部９の動作手順の詳細については、図１０に示すフローチャートを参照して後述する。
【００７３】
ステップＳ２５の処理において、制御部４９は、プログラムカウンタの値ｎを１増数し、処理をステップＳ２２に戻す。
【００７４】
その後は、ステップＳ２２でＮｏとなるまで上記のステップの処理が繰り返される。
【００７５】
〔グループ印刷動作〕
次に、図１０に示すフローチャートを参照して、グループ印刷動作を実行する際の制御部４９の動作手順について説明する。
【００７６】
図１０に示すフローチャートは、図９に示すステップＳ２３の処理において、ｎ番目のグループの組数Ｍが０でないと判別されるのに応じて開始される。
【００７７】
ステップＳ３１の処理において、制御部４９は、第１印刷物の印刷が完了した組数を計数するためのプログラムカウンタの値ｍを１に設定し、処理をステップＳ３２に進める。
【００７８】
ステップＳ３２の処理において、制御部４９は、ｎ番目のグループにおいてプログラムカウンタの値ｍが最大組数Ｍｍａｘ以下であるか否かを判別する。そして、判別の結果、プログラムカウンタの値ｍが最大組数Ｍｍａｘ以下でない場合、制御部４９は、ｎ番目のグループの全ての組について第１印刷物及び第２印刷物の印刷処理が完了したと判断し、一連のグループ印刷処理を終了する。一方、プログラムカウンタの値ｍが最大組数Ｍｍａｘ以下である場合には、制御部４９は、印刷処理をステップＳ３３に進める。
【００７９】
ステップＳ３３の処理において、制御部４９は、ｎ番目のグループのｍ番目の組について印刷した第１印刷物の枚数を計数するためのプログラムカウンタの値ｘを１に設定し、処理をステップＳ３４に進める。
【００８０】
ステップＳ３４の処理において、制御部４９は、グループ印刷設定記憶部５３に記憶されている組印刷設定情報を参照してｎ番目のグループのｍ番目の組の印刷枚数Ｘを読み出し、プログラムカウンタの値ｘが印刷枚数Ｘ以下であるか否かを判別する。そして、判別の結果、プログラムカウンタの値ｘが印刷枚数Ｘ以下でない場合、制御部４９は、ｍ番目の組については第１印刷物の印刷処理が完了したと判断し、処理をステップＳ３７に進める。一方、プログラムカウンタの値ｘが印刷枚数Ｘ以下である場合には、制御部４９は、印刷処理をステップＳ３５に進める。
【００８１】
ステップＳ３５の処理において、制御部４９は、第１印刷部４及び第２印刷部６を制御することにより第１ドラム２５は印刷、第２ドラム３６は非印刷として第１印刷物を１枚印刷し、処理をステップＳ３６に進める。
【００８２】
ステップＳ３６の処理において、制御部４９は、プログラムカウンタの値ｘを１増数し、処理をステップＳ３２に戻す。
【００８３】
一方、ステップＳ３４の処理において、プログラムカウンタの値ｘが印刷枚数Ｘ以下でない場合、ステップＳ３７の処理において、制御部４９は、第１印刷部４及び第２印刷部６を制御することにより第１ドラム２５及び第２ドラム３６の重ね印刷又は第２ドラム３６による第２印刷物を印刷し（第２印刷物印刷動作）、印刷完了後、処理をステップＳ３８に進める。なお、この第２印刷物印刷動作を実行する際の制御部４９の動作手順の詳細については、図１１に示すフローチャートを参照して後述する。
【００８４】
ステップＳ３８の処理において、制御部４９は、プログラムカウンタの値ｍを１増数し、処理をステップＳ３２に戻す。
【００８５】
その後は、ステップＳ３４でＮｏとなるまで上記のステップの処理が繰り返される。
【００８６】
〔第２印刷物印刷動作〕
次に、図１１に示すフローチャートを参照して、第２印刷物印刷動作を実行する際の制御部４９の動作手順について説明する。
【００８７】
図１１に示すフローチャートは、図１０に示すステップＳ３４の処理において、プログラムカウンタの値ｘが印刷枚数Ｘ以下でないと判別されるのに応じて開始される。
【００８８】
ステップＳ４１の処理において、制御部４９は、グループ印刷設定記憶部５３に記憶されている第２印刷物印刷枚数設定情報を参照して第２印刷物印刷枚数の設定が１枚でないか否かを判別する。そして、判別の結果、第２印刷物印刷枚数の設定が１枚でない、即ち一組当たりの印刷枚数と同じである場合には、制御部４９は処理をステップＳ４２に進める。一方、第２印刷物印刷枚数の設定が１枚である場合には、制御部４９は処理をステップＳ４８に進める。
【００８９】
ステップＳ４２の処理において、制御部４９は、ｎ番目のグループのｍ番目の組について印刷した第２印刷物の枚数を計数するためのプログラムカウンタの値ｘを１に設定し、処理をステップＳ４３に進める。
【００９０】
ステップＳ４３の処理において、制御部４９は、グループ印刷設定記憶部５３に記憶されている組印刷設定情報を参照してｎ番目のグループの各組の印刷枚数Ｘを読み出し、プログラムカウンタの値ｘが印刷枚数Ｘ以下であるか否かを判別する。そして、判別の結果、プログラムカウンタの値ｘが印刷枚数Ｘ以下でない場合、制御部４９は、ｍ番目の組について第２印刷物の印刷処理が完了したと判断し、処理を終了する。一方、プログラムカウンタの値ｘが印刷枚数Ｘ以下である場合には、制御部４９は処理をステップＳ４４に進める。
【００９１】
ステップＳ４４の処理において、制御部４９は、グループ印刷設定記憶部５３に記憶されている印刷パターン設定情報を参照して、設定されている印刷パターンが第１パターンであるか否かを判別する。そして、判別の結果、設定されている印刷パターンが第１パターンでない、即ち第２パターンである場合、制御部４９は処理をステップＳ４５に進める。一方、設定されている印刷パターンが第１パターンである場合には、制御部４９は処理をステップＳ４６に進める。
【００９２】
ステップＳ４５の処理において、制御部４９は、第１印刷部４及び第２印刷部６を制御することにより第１ドラム２５は非印刷，第２ドラム３６は印刷として第２印刷物を１枚印刷し、処理をステップＳ４７に進める。
【００９３】
一方、ステップＳ４４の処理において、設定されている印刷パターンが第１パターンの場合、ステップＳ４６の処理において、制御部４９は、第１印刷部４と第２印刷部６を制御することにより第１ドラム２５と第２ドラム３６を用いて第２印刷物を１枚重ね印刷し、処理をステップＳ４７に進める。
【００９４】
ステップＳ４７の処理において、制御部４９は、プログラムカウンタの値ｘを１増数し、処理をステップＳ４３に戻す。
【００９５】
一方、ステップＳ４１の処理において、設定されている第２印刷物の印刷枚数が１枚の場合、ステップＳ４８の処理において、制御部４９は、グループ印刷設定記憶部５３に記憶されている印刷パターン設定情報を参照して、設定されている印刷パターンが第１パターンであるか否かを判別する。そして、判別の結果、設定されている印刷パターンが第１パターンでない、即ち第２パターンである場合、制御部４９は処理をステップＳ４９に進める。一方、設定されている印刷パターンが第１パターンである場合には、制御部４９は処理をステップＳ５０に進める。
【００９６】
ステップＳ４９の処理において、制御部４９は、第１印刷部４及び第２印刷部６を制御することにより第１ドラム２５は非印刷，第２ドラム３６は印刷として、第２印刷物を１枚印刷し、一連の第２印刷物印刷処理を終了する。
【００９７】
一方、ステップＳ４８の処理において、設定されている印刷パターンが第１パターンの場合、ステップＳ５０の処理において、制御部４９は、第１印刷部４と第２印刷部６を制御することにより第１ドラム２５と第２ドラム３６を用いて第２印刷物を１枚重ね印刷し、一連の第２印刷物印刷処理を終了する。
【００９８】
以上の説明から明らかなように、本発明の実施形態となる孔版印刷装置１によれば、制御部４９が、第１ドラム２５及び第２ドラム３６にそれぞれ第１，第２の画像が加熱穿孔された孔版原紙１２を巻装し、第１印刷部４及び第２印刷部６を制御して、第１ドラム２５を利用して第１印刷物を１組当たりの印刷枚数印刷し、第１印刷物の印刷完了後、第２ドラム３６単独印刷、又は、第１ドラム２５と第２ドラム３６の重ね印刷による第２印刷物を１枚、若しくは、１組当たりの印刷枚数印刷する処理を組単位に実行する。
【００９９】
具体的な実施例として図１２（ａ），（ｂ）に第１印刷物として問題用紙、第２印刷物として解答用紙を印刷する例を示す。図１２（ａ）は、第１ドラム２５に問題の画像が加熱穿孔された第１孔版原紙１２を巻装し、第２ドラム３６に解答の画像が加熱穿孔された第２孔版原紙１２を巻装して、印刷パターンとして第１パターン、第２印刷物の印刷枚数が第１印刷物と同じに設定された時、問題が印刷された問題用紙と問題と解答が印刷された解答用紙が何れも各組の生徒数分組単位に印刷される例を示している。図１２（ｂ）は、第１ドラム２５に問題の画像が加熱穿孔された第１孔版原紙１２を巻装し、第２ドラム３６に解答の画像が加熱穿孔された第２孔版原紙１２を巻装して、印刷パターンとして第２パターン、第２印刷物の印刷枚数が１枚に設定された時、問題が印刷された問題用紙が各組の生徒数分、解答のみが印刷された解答用紙が１枚（先生用）が組単位に印刷される例を示している。
【０１００】
以上、本発明を上記した一つの実施形態に基づいて説明したが、本発明はこれに限定されるものではない。
【０１０１】
例えば、上記実施形態では２個のドラムを備えた孔版印刷装置を使用した例を示したが、３個以上のドラムを備えた孔版印刷装置に対しても適用することもできる。例えば、３個のドラム備えた孔版印刷装置を使用する場合、印刷パターンとして、それぞれ３つの印刷物を含む以下の８つのパターンを設定することができる。
【０１０２】
（１） パターン１：第１ドラムを単独で使用した第１の印刷物＋第２ドラムを単独で使用した第２の印刷物＋第３ドラムを単独で使用した第３の印刷物；
（２） パターン２：第１ドラムを単独で使用した第１の印刷物＋第２ドラムを単独で使用した第２の印刷物＋（第１ドラム＋第３ドラム）を使用した第３の印刷物；
（３） パターン３：第１ドラムを単独で使用した第１の印刷物＋第２ドラムを単独で使用した第２の印刷物＋（第２ドラム＋第３ドラム）を使用した第３の印刷物；
（４） パターン４：第１ドラムを単独で使用した第１の印刷物＋第２ドラムを単独で使用した第２の印刷物＋（第１ドラム＋第２ドラム＋第３ドラム）を使用した第３の印刷物；
（５） パターン５：第１ドラムを単独で使用した第１の印刷物＋（第１ドラム＋第２ドラム）を使用した第２の印刷物＋第３ドラムを単独で使用した第３の印刷物；
（６） パターン６：第１ドラムを単独で使用した第１の印刷物＋（第１ドラム＋第２ドラム）を使用した第２の印刷物＋（第２ドラム＋第３ドラム）を使用した第３の印刷物；
（７） パターン７：第１ドラムを単独で使用した第１の印刷物＋（第１ドラム＋第２ドラム）を使用した第２の印刷物＋（第１ドラム＋第３ドラム）を使用した第３の印刷物；
（８） パターン８：第１ドラムを単独で使用した第１の印刷物＋（第１ドラム＋第２ドラム）を使用した第２の印刷物＋（第１ドラム＋第２ドラム＋第３ドラム）を使用した第３の印刷物。
【０１０３】
上記したパターンは、（１）式においてｋ＝３としたときの数、すなわち、
【数３】
2006175851.tif 000009
【０１０４】
の８つに対応するものである。この場合、図７の印刷パターン設定画面は、第１パターン及び第２パターンの代わりに第１〜第８パターンまでが表示される構成に変更され、また、第２印刷物印刷枚数の代わりに、第２〜第ｋ印刷物までの印刷枚数を設定する設定項目が表示される構成とすればよい。このとき、上記８つの印刷パターンの中から所定の印刷パターンを設定する方法としては、予め、該所定の印刷パターンが孔版印刷装置１に設定されるようにしてもよいし、操作パネル部５２によって、複数の印刷パターンがユーザに提示され、提示された印刷パターンの中からユーザが所望の印刷パターンを選択するようにしてもよい。なお、操作パネル部５２には、ユーザが印刷パターンを選択する際、ユーザ識別情報が入力されてもよい。制御部（ＣＰＵ）４９は、ユーザによる印刷パターンの選択回数をユーザ識別情報ごとにカウントするようにしてもよい。ある印刷パターンのカウント値が所定の回数を超え、且つ該カウント値に対応するユーザ識別情報が操作パネル部５２に入力された場合、制御部４９は、上記ある印刷パターンを自動的に設定するようにしてもよい。上記所定回数は、一定値としてもよいし、又は、印刷パターンとユーザ識別情報の組み合わせ、または、ユーザ識別情報に応じて異なる値としてもよい。
【０１０５】
このように、本発明の印刷パターンは、使用するドラムの数と同じ数の印刷物を含むものであり、その数は（１）式によって決定される。
【０１０６】
また、上記実施形態では、第１の印刷物して問題用紙、第２の印刷物として解答用紙とし、第２印刷物の印刷枚数として第１印刷物と同数又は１枚の例を示したが、図７に示す印刷パターン設定画面の第２印刷物印刷枚数選択ボタンとして例えば「任意」ボタンを追加して、第２印刷物の印刷枚数を任意に設定出来るようにすることも可能であり、このような場合には、全戸に配布する印刷物と班毎に回覧する印刷物を自治会単位に印刷することもできる。
【０１０７】
すなわち、上記実施形態に基づいて当業者等によりなされる他の実施形態、実施例及び運用技術等は全て本発明の範疇に含まれることは勿論である。
【図面の簡単な説明】
【０１０８】
【図１】本発明の実施形態となる孔版印刷装置の構成を示す模式図である。
【図２】図１に示す孔版印刷装置の制御系の構成を示すブロック図である。
【図３】本発明の実施形態となるグループ印刷処理の動作手順を示すフローチャート図である。
【図４】本発明の実施形態となるグループ印刷選択画面の構成を示す模式図である。
【図５】本発明の実施形態となるグループ印刷設定画面の構成を示す模式図である。
【図６】本発明の実施形態となる組印刷設定情報を表形式で示す模式図である。
【図７】図２に示すグループ印刷設定記憶部に記憶される印刷パターン設定情報の一例を示す図である。
【図８】図３に示す製版動作のサブルーチンを示すフローチャート図である。
【図９】図３に示す印刷動作のサブルーチンを示すフローチャート図である。
【図１０】図９に示すグループ印刷動作のサブルーチンを示すフローチャート図である。
【図１１】図１０に示す第２印刷物印刷動作のサブルーチンを示すフローチャート図である。
【図１２】本発明の具体的実施形態を説明する模式図である。
【符号の説明】
【０１０９】
１：孔版印刷装置
２：製版部
３：給紙部
４：第１印刷部
５：中間搬送部
６：第２印刷部
７：排紙部
８：第１排版部
９：第２排版部
１９：原稿読取部
２５：第１ドラム
３６：第２ドラム
４９：制御部
５０：ＲＯＭ（Read Only Memory）
５１：ＲＡＭ（Random Access Memory）
５２：操作パネル部
５３：グループ印刷設定記憶部
【図１】
2006175851.tif 000012
【図２】
2006175851.tif 000013
【図３】
2006175851.tif 000014
【図４】
2006175851.tif 000015
【図５】
2006175851.tif 000016
【図６】
2006175851.tif 000017
【図７】
2006175851.tif 000018
【図８】
2006175851.tif 000019
【図９】
2006175851.tif 000020
【図１０】
2006175851.tif 000021
【図１１】
2006175851.tif 000022
【図１２】
2006175851.tif 000023